【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
試験すべき試料流体を受け取るように適合された注入チャンバー、前記注入チャンバーと流体連通する反応チャンバー、および前記反応チャンバーと流体連通する少なくとも１つの検出チャンバーを画成するフォトレジスト層と、
前記フォトレジスト層に剛性の支持体を提供するために前記フォトレジスト層の下に配置される支持構造と、
前記反応チャンバーと前記少なくとも１つの検出チャンバーを覆うために前記フォトレジスト層の上に配置されるカバーと、
を備えたマイクロ流体装置。
【請求項２】
前記フォトレジスト層がさらに、試料流体の流れの方向に沿って、前記少なくとも１つの検出チャンバーの下流に、一連の吸収チャネルを備えることを特徴とする請求項１記載の装置。
【請求項３】
前記一連の吸収チャネルが単一の蛇行流路を画成することを特徴とする請求項２記載の装置。
【請求項４】
前記一連の吸収チャネルが、前記少なくとも１つの検出チャンバーの最後の１つと注入端で連通している複数の並列チャンネルを画成することを特徴とする請求項２記載の装置。
【請求項５】
前記フォトレジスト層がさらに、前記注入チャンバーと前記反応チャンバーとの間に遅延チャネルを備えることを特徴とする請求項１記載の装置。
【請求項６】
前記フォトレジスト層がさらに、前記反応チャンバーと前記少なくとも１つの検出チャンバーとの間に混合チャネルを備えることを特徴とする請求項１記載の装置。
【請求項７】
前記少なくとも１つの検出チャンバーが、単検出チャンバーからなることを特徴とする請求項１記載の装置。
【請求項８】
前記少なくとも１つの検出チャンバーが、互いに分離されている複数の検出チャンバーを備えることを特徴とする請求項１記載の装置。
【請求項９】
前記支持構造がフィルム層を備えていることを特徴とする請求項１記載の装置。
【請求項１０】
前記支持構造がさらに、前記フィルム層の下に配置される剛性の裏打ち用基材を備えていることを特徴とする請求項９記載の装置。
【請求項１１】
前記カバーが透明であることを特徴とする請求項１記載の装置。
【請求項１２】
前記カバーが、前記反応チャンバーと前記混合チャネルの間に接合間隙を備えていることを特徴とする請求項６記載の装置。
【請求項１３】
前記反応チャンバーに配される１種類以上の第１の生体または免疫活性物質と、前記少なくとも１つの検出チャンバーのそれぞれに配される１種類以上の第２の生体または免疫活性物質とをさらに備えることを特徴とする請求項１記載の装置。
【請求項１４】
前記少なくとも１つの検出チャンバーにおける導電面、または前記少なくとも１つの検出チャンバーの少なくとも一部を画成する導電面をさらに備えることを特徴とする請求項１記載の装置。
【請求項１５】
前記導電面が電極であることを特徴とする請求項１４記載の装置。
【請求項１６】
前記反応チャンバーに配される１種類以上の第１の生体または免疫活性物質と、前記少なくとも１つの検出チャンバーにおける前記導電面、または前記少なくとも１つの検出チャンバーの少なくとも一部を画成する前記導電面と接続して配される１種類以上の第２の生体または免疫活性物質とをさらに備えることを特徴とする請求項１４記載の装置。
【請求項１７】
前記少なくとも１つの検出チャンバーにおける前記導電面、または前記少なくとも１つの検出チャンバーの少なくとも一部を画成する前記導電面と、前記導電面の反対側にある接続ピンとを有する電気相互接続ユニットであって、
それによって試料流体中の粒子が前記導電面と反応し、前記接続ピンと回路を形成することによって検出可能な、前記導電面を通じて電流に変化を生じさせる、
電気相互接続ユニットをさらに備えることを特徴とする請求項１４記載の装置。
【請求項１８】
前記１種類以上の第２の生体または免疫活性物質が前記導電面に結合することを特徴とする請求項１６記載の方法。
【請求項１９】
試験すべき試料流体を受け取るように適合された注入チャンバー、前記注入チャンバーと流体連通する反応チャンバー、前記反応チャンバーと流体連通する混合チャネル、前記反応チャンバーと流体連通する少なくとも１つの検出チャンバー、および前記試料流体の流れの方向に沿って、前記少なくとも１つの検出チャンバーの下流に位置する一連の吸収チャネルとを画成するフォトレジスト層と、
前記フォトレジスト層に剛性の支持体を提供するために前記フォトレジスト層の下に配置される支持構造と、
前記反応チャンバーと前記少なくとも１つの検出チャンバーを覆うために前記フォトレジスト層の上に配置されるカバーと、
を備えたマイクロ流体装置。
【請求項２０】
前記反応チャンバーに配される１種類以上の第１の生体または免疫活性物質と、前記少なくとも１つの検出チャンバーのそれぞれに配される１種類以上の第２の生体または免疫活性物質とをさらに備えることを特徴とする請求項１９記載の装置。
【請求項２１】
試験すべき試料流体を受け取るように適合された注入チャンバー、前記注入チャンバーと流体連通する反応チャンバー、前記反応チャンバーと流体連通する混合チャネル、
前記反応チャンバーと流体連通する少なくとも１つの検出チャンバー、および前記試料流体の流れの方向に沿って、前記少なくとも１つの検出チャンバーの下流に位置する一連の吸収チャネルとを画成するフォトレジスト層であって、前記少なくとも１つの検出チャンバーが前記少なくとも１つの検出チャンバーにおける導電面、または前記少なくとも１つの検出チャンバーの少なくとも一部を画成する、導電面をさらに備えている、フォトレジスト層と、
前記フォトレジスト層に剛性の支持体を提供するために前記フォトレジスト層の下に配置される支持構造と、
前記反応チャンバーと前記少なくとも１つの検出チャンバーを覆うために前記フォトレジスト層の上に配置されるカバーと、
を備えたマイクロ流体装置。
【請求項２２】
前記反応チャンバーに配される１種類以上の第１の生体または免疫活性物質と、前記少なくとも１つの検出チャンバーのそれぞれにおける導電面、または前記少なくとも１つの検出チャンバーの少なくとも一部を画成する前記導電面と接続して配される１種類以上の第２の生体または免疫活性物質とをさらに備えることを特徴とする請求項２１記載の装置。
【請求項２３】
試料ウェルを画成するハウジングと、
前記注入チャンバーが前記試料ウェルと位置合わせされている請求項１記載の装置と、
前記試料ウェルと前記注入チャンバーの間に配置されるフィルタと、
を備える迅速検査キット。
【請求項２４】
前記ハウジングがさらに、前記反応チャンバーと位置合わせした第１ウィンドウを備えることにより、前記反応チャンバー内の試料流体の存在の確認を可能にすることを特徴とする請求項２３記載のキット。
【請求項２５】
前記ハウジングがさらに、前記少なくとも１つの検出チャンバーのそれぞれ１つとそれぞれ位置合わせした、少なくとも１つのウィンドウを備えることを特徴とする請求項２３記載のキット。
【請求項２６】
試料ウェルを画成し、開口部を備えたハウジングと、
前記注入チャンバーが前記試料ウェルと位置合わせされており、前記電気相互接続ユニットが前記開口部を通じて伸びて読取ユニットへの接続が可能になっている請求項１７記載の装置と、
を備える迅速検査キット。
【請求項２７】
１種類以上の特定の材料の存在について試料流体を試験する方法であって、
試料ウェルを画成し、開口部を備えたハウジングであって、それによって請求項１７記載の装置の前記注入チャンバーが前記試料ウェルと位置を合わせ、請求項１７記載の装置の前記電気相互接続ユニットが前記開口部を通じて伸びるようにしたハウジング内に、請求項１７記載の装置を配置し、
前記試料ウェルに試料流体を置き、該試料流体を、前記フォトレジスト層を通じて流し、
前記ハウジングを、読取ユニット内に、前記読取ユニット内で前記電気相互接続ユニットと接触するまで挿入し、
前記読取ユニット内のマイクロコントローラを作動させ、前記電気相互接続ユニットと共に電気回路を完成し、前記電気相互接続ユニットを通じて静電容量または電圧の変化を測定し、
前記測定した静電容量または電圧変化を前記材料の有無と相関させる、
各工程を有してなる方法。
【請求項２８】
１種類以上の特定の材料の存在について試料流体を試験する方法であって、
試料ウェルと少なくとも１つのウィンドウを画成するハウジングであって、請求項１記載の装置の前記注入チャンバーを前記試料ウェルと位置合わせし、前記少なくとも１つのウィンドウのそれぞれを、請求項１記載の装置内の前記少なくとも１つの検出チャンバーのそれぞれ１つと位置合わせするように画成するハウジング内に請求項１記載の装置を配置し、
試料ウェル内に試料流体を置き、前記フォトレジスト層を通じて前記試料流体を流し、
前記試料流体が前記少なくとも１つの検出チャンバーの最後の１つに到達したことを確認するための少なくとも１つのウィンドウのうちの最後の１つをモニタし、
前記少なくとも１つの検出チャンバーの蛍光強度または光強度の変化を測定し、 
前記測定した蛍光強度または光強度の変化を前記材料の有無と相関させる、
各工程を有してなる方法。
【請求項２９】
試験すべき試料流体を受け入れるように適合された注入チャンバー、および前記注入チャンバーと流体連通する少なくとも１つの検出チャンバーを画成するフォトレジスト層と、
前記フォトレジスト層に剛性の支持体を提供するために前記フォトレジスト層の下に配置される支持構造と、
前記少なくとも１つの検出チャンバーを覆うために前記フォトレジスト層の上に配置されるカバーと、
前記少なくとも１つの検出チャンバーにおける導電面、または前記少なくとも１つの検出チャンバーの少なくとも一部を画成する導電面と、
を備える電気化学センサー装置。
【請求項３０】
前記少なくとも１つの検出チャンバーにおける前記導電面、または前記少なくとも１つの検出チャンバーの少なくとも一部を画成する、前記導電面と、前記導電面の反対側に位置する接続ピンとを有する電気相互接続ユニットをさらに備え、それによって試料流体中の粒子を前記導電面と反応させ、前記導電面を通じて電流に変化を生じさせ、それを前記接続ピンと共に回路を形成することによって検出する、請求項２９記載の電気化学センサー装置。